【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
コンピュータに、
画面上に第１コンテンツと、広告に関する第２コンテンツと、当該第２コンテンツと関連する第３コンテンツとを表示する表示手順と、
前記第１コンテンツに対するスクロール操作に従って、前記第２コンテンツと前記第３コンテンツとの画面占有率が所定の範囲内となるように、前記第２コンテンツと前記第３コンテンツとの画面占有率を変更する表示制御手順と
を実行させるための情報表示プログラム。
【請求項２】
前記表示制御手順は、前記第１コンテンツを前記第２コンテンツが配置された方向にスクロールさせる操作が行われた場合は、当該第２コンテンツの画面占有率を減少させ、前記第３コンテンツの画面占有率を増加させる
ことを特徴とする請求項１に記載の情報表示プログラム。 
【請求項３】
前記表示制御手順は、前記第２コンテンツの画面占有率を減少させた結果、前記第２コンテンツの画面占有率が所定の閾値よりも小さくなった場合は、前記第２コンテンツの画面占有率を固定する
ことを特徴とする請求項２に記載の情報表示プログラム。 
【請求項４】
前記表示制御手順は、前記第２コンテンツの画面占有率を固定した場合は、前記第１コンテンツを前記第２コンテンツが配置された方向にスクロールさせる操作に従って、前記第１コンテンツが表示される領域の位置を変更せずに当該第１コンテンツをスクロールさせる
ことを特徴とする請求項３に記載の情報表示プログラム。 
【請求項５】
前記表示制御手順は、前記第２コンテンツの画面占有率を固定するとともに、前記第３コンテンツの画面占有率を固定する
ことを特徴とする請求項３または４に記載の情報表示プログラム。 
【請求項６】
前記表示制御手順は、前記第１コンテンツを前記第３コンテンツが配置された方向にスクロールさせる操作が行われた場合は、当該第３コンテンツの画面占有率を減少させ、前記第２コンテンツの画面占有率を増加させる
ことを特徴とする請求項１〜５のうちいずれか１つに記載の情報表示プログラム。 
【請求項７】
前記表示制御手順は、前記第１コンテンツを前記第３コンテンツが配置された方向にスクロールさせる操作が行われた場合は、前記第２コンテンツの画面占有率を減少させ、前記第３コンテンツの画面占有率を増加させる
ことを特徴とする請求項１に記載の情報表示プログラム。 
【請求項８】
前記表示制御手順は、前記第１コンテンツのスクロール操作に従って、前記第１コンテンツの画面占有率を一定に保ちつつ、前記第２コンテンツの画面占有率と前記第３コンテンツの画面占有率とを変更する
ことを特徴とする請求項１〜７のうちいずれか１つに記載の情報表示プログラム。 
【請求項９】
前記表示制御手順は、前記第２コンテンツの縮尺と前記第３コンテンツの縮尺とを一定に保ちつつ、前記第２コンテンツの画面占有率と前記第３コンテンツの画面占有率とを変更する
ことを特徴とする請求項１〜８のうちいずれか１つに記載の情報表示プログラム。 
【請求項１０】
前記表示制御手順は、前記第２コンテンツのうち表示される領域の広さを変更することで、当該第２コンテンツの画面占有率を変更し、前記第３コンテンツのうち表示される領域の広さを変更することで、当該第３コンテンツの画面占有率を変更する
ことを特徴とする請求項１〜９のうちいずれか１つに記載の情報表示プログラム。 
【請求項１１】
前記表示手順は、前記第２コンテンツおよび前記第３コンテンツとして、同一の情報に関するコンテンツを表示する
ことを特徴とする請求項１〜１０のうちいずれか１つに記載の情報表示プログラム。 
【請求項１２】
前記表示手順は、前記第２コンテンツまたは前記第３コンテンツとして、利用者によって選択された際に、所定のコンテンツに遷移可能なコンテンツを表示する
ことを特徴とする請求項１〜１１のうちいずれか１つに記載の情報表示プログラム。 
【請求項１３】
前記表示手順は、前記第２コンテンツと前記第３コンテンツとをそれぞれ前記画面上の対になる位置に配置し、前記第１コンテンツを前記第２コンテンツと前記第３コンテンツとの間に配置して表示する
ことを特徴とする請求項１〜１２のうちいずれか１つに記載の情報表示プログラム。 
【請求項１４】
前記表示手順は、上端が画面の上端と接する位置に前記第２コンテンツを配置し、下端が画面の下端と接する位置に前記第３コンテンツを配置して表示する
ことを特徴とする請求項１３に記載の情報表示プログラム。 
【請求項１５】
前記表示手順は、前記第１コンテンツを前記第２コンテンツおよび前記第３コンテンツに重ねて表示し、
前記表示制御手順は、前記第１コンテンツのスクロール操作に従って、当該第１コンテンツを表示する領域の位置を移動させることで、前記第２コンテンツの画面占有率と前記第３コンテンツの画面占有率とを変更する
ことを特徴とする請求項１〜１４のうちいずれか１つに記載の情報表示プログラム。
【請求項１６】
情報表示装置が実行する情報表示方法であって、
画面上に第１コンテンツと、広告に関する第２コンテンツと、当該第２コンテンツと関連する第３コンテンツとを表示する表示工程と、
前記第１コンテンツに対するスクロール操作に従って、前記第２コンテンツと前記第３コンテンツとの画面占有率が所定の範囲内となるように、前記第２コンテンツと前記第３コンテンツとの画面占有率を変更する表示制御工程と
を含むことを特徴とする情報表示方法。
【請求項１７】
画面上に第１コンテンツと、広告に関する第２コンテンツと、当該第２コンテンツと関連する第３コンテンツとを表示する表示部と、
前記第１コンテンツに対するスクロール操作に従って、前記第２コンテンツと前記第３コンテンツとの画面占有率が所定の範囲内となるように、前記第２コンテンツと前記第３コンテンツとの画面占有率を変更する表示制御部と
を有することを特徴とする情報表示装置。 
【請求項１８】
画面に情報を表示する端末装置に制御情報を配信する配信部を備え、
前記配信部は、前記端末装置に前記制御情報を配信することで、
画面上に第１コンテンツと、広告に関する第２コンテンツと、当該第２コンテンツと関連する第３コンテンツとを表示する表示手順と、
前記第１コンテンツに対するスクロール操作に従って、前記第２コンテンツと前記第３コンテンツとの画面占有率が所定の範囲内となるように、前記第２コンテンツと前記第３コンテンツとの画面占有率を変更する表示制御手順と
を実行させるよう前記端末装置を制御する、
ことを特徴とする配信装置。
【手続補正２】
【補正対象書類名】明細書
【補正対象項目名】発明の名称
【補正方法】変更
【補正の内容】
【発明の名称】情報表示プログラム、情報表示方法、情報表示装置および配信装置
【手続補正３】
【補正対象書類名】明細書
【補正対象項目名】０００１
【補正方法】変更
【補正の内容】
【０００１】
本発明は、情報表示プログラム、情報表示方法、情報表示装置および配信装置に関する。
【手続補正４】
【補正対象書類名】明細書
【補正対象項目名】０００６
【補正方法】変更
【補正の内容】
【０００６】
本願にかかる情報表示プログラムは、コンピュータに、画面上に第１コンテンツと、広告に関する第２コンテンツと、当該第２コンテンツと関連する第３コンテンツとを表示する表示手順と、前記第１コンテンツに対するスクロール操作に従って、前記第２コンテンツと前記第３コンテンツとの画面占有率が所定の範囲内となるように、前記第２コンテンツと前記第３コンテンツとの画面占有率を変更する表示制御手順とを実行させる。